(57)【要約】【課題】所望の形状及び大きさの苔玉が面倒な手間を掛けずに製作することができ、かつ大幅なコストダウンが可能となる新規な苔玉栽培方法を提案しようとするものである。【解決手段】採取した苔を粉末状に破砕した上、それを植物の株の根鉢の表面にまぶし、該根鉢に給水用ひもを取り付けて底面給水するか、ひもなしでマット給水して生育管理することにより、所定期間後に苔玉が形成されるようにしたことを特徴とする苔玉栽培方法。【選択図】  図６
2008029310.tif 000002
【特許請求の範囲】
【請求項１】
採取した苔を粉末状に破砕した上、それを植物の株の根鉢の表面にまぶし、該根鉢に給水用ひもを取り付けて底面給水するか、ひもなしでマット給水して生育管理することにより、所定期間後に苔玉が形成されるようにしたことを特徴とする苔玉栽培方法。
【請求項２】
採取した苔を粉末状に破砕した上、それを細かい土で成形した土団子の表面にまぶし、該土団子にマット給水して生育管理することにより、所定期間後に苔玉が形成されるようにしたことを特徴とする苔玉栽培方法。
【発明の詳細な説明】
【技術分野】
【０００１】
この発明は新規な苔玉の栽培方法に関するものである。
【背景技術】
【０００２】
苔玉は、観賞用植物の根元の培土の表面を球状にして、その表面を苔植物で覆ったものである。
【０００３】
このような苔玉の製作に際しては、適宜の植物の根元に土団子（植物培土の表面を、ケト土を主材としてバーミキュライトを加えたものや、ケト土とムソウを１：１の割合で混ぜたものを使用して覆う）を作り、この土団子の表面に苔植物（ハイゴケやミズゴケ等）を貼り付け、さらに苔植物の上から糸、針金、Ｕピン等を巻いて苔植物が土団子から剥離しないようにしているものである。
苔玉とは、その名の通り苔を玉にしたものであり、まりもの様な可愛らしさと、緑の美しさが見る人の心をほっと落ちつける。この苔玉はどちらかといえば盆栽に近い分類であるが、観葉植物と相性もいいし室内にも持ち込める。
【０００４】
ところで、前記した従前の苔玉の製作において、土団子形成は手間がかかって煩雑であり、また糸巻き作業も非常に煩雑で面倒であり、さらにその育成管理自体も面倒である。
すなわち糸巻きは、土団子の表面に苔植物を貼り付けた状態で行うが、苔植物を手で押さえながらの作業であり、かつ均一に糸巻きを行わないと形状が変化してしまったり、苔植物の一部がはみ出したりしてしまう。このように綺麗な苔玉を製作するには熟練を要するものである。
したがって、苔玉の製作に手間や時間がかかり、コストが高くなって採算が取りにくいという問題点があった。
【０００５】
さらに製作した苔玉を栽培する場合には、苔植物が乾燥しないように充分な灌水が必要であり、しかも内部の培土の高湿によっては植物が根腐れし易く、植物が枯れてしまうと、苔玉のままで維持するしかなく、再度植物の植え替えは不可能である。
【０００６】
そこで、特開２００５−３２３５２０公報（特許文献１参照）に示す網籠体と脚部とからなる器具を用いた苔玉栽培方法が提案されている。
すなわち、前記器具は、苔を貼り付けることができ、かつ透水性を有する網籠体に、透水性を有する仕切り部をないそうした筒状脚部を付設したものであり、この苔玉栽培用器具における網籠体内に保水材を充填し、網籠体の表面全体に苔植物を貼り付けるとともに適宜な細糸を巻き付け、網籠体の表面に苔植物を保持させ、苔植物の栽培を行うようにしたものである。
【特許文献１】特開２００５−３２３５２０公報
【発明の開示】
【発明が解決しようとする課題】
【０００７】
しかしながら、網籠体と脚部とからなる器具を使用することは大幅なコストアップにつながり、しかも糸巻き作業は相変わらず必要であって苔玉の製作に手間や時間がかかり、作業の煩雑さを解消するには到っていない。
【０００８】
そこでこの発明は、所望の形状及び大きさの苔玉が面倒な手間を掛けずに製作することができ、かつ大幅なコストダウンが可能となる新規な苔玉栽培方法を提案しようとするものである。
【課題を解決するための手段】
【０００９】
すなわち、この発明に係る苔玉栽培方法は、採取した苔を粉末状に破砕した上、それを植物の株の根鉢の表面にまぶし、該根鉢に給水用ひもを取り付けて底面給水するか、ひもなしでマット給水して生育管理することにより、所定期間後に苔玉が形成されるようにしたことを特徴とするものである。
【００１０】
また、この発明に係る苔玉栽培方法は、採取した苔を粉末状に破砕した上、それを細かい土で成形した土団子の表面にまぶし、該土団子にマット給水して生育管理することにより、所定期間後に苔玉が形成されるようにしたことを特徴としている。
【発明の効果】
【００１１】
したがって苔玉の形状は、網籠体の形状に制限されることなく所望の大きさおよび形状とすることができ、糸巻き作業を不要とすることができるので、糸巻き作業時の苔植物の剥落のおそれが少なく、かつ苔玉形状も変形させる心配がない。
【００１２】
さらに栽培に際しても、通常の鉢植え植物と同様に水盤内に配置することで灌水が容易になされるし、所定の栽培期間を経過すれば非常に生育の良好な苔を表面に供えた苔玉を、確実に得ることができる。
すなわち、花の生産と同時に省力かつ低コストで苔玉が生産可能であり、大量に作成できるので市場出荷にも迅速に対応できる。
【発明を実施するための最良の形態】
【００１３】
次に、この発明の苔玉の栽培方法の実施の形態について、図面に基づいて詳細に説明する。
図面はこの発明の苔玉の栽培方法を示す１実施例であり、図１は根鉢の表面に取り付けることができる苔（日向ごけ）の写真、図２は植物の株の根鉢をプラスチック製の鉢から取り出した状態を示す斜視図、図３は植物の株の根鉢の表面に苔を含んだ混合物を貼り付け、かつ根鉢に給水用ひもを取り付けた状態の斜視図、図４は該根鉢を通水枠上に搭載して、該根鉢に底面給水している状態を示す概略図、図５は完成した苔玉の斜視図、図６はこの実施例の苔玉の栽培工程を示すフローチャートである。
また図７は土団子を示す斜視図、図８は土団子の表面に苔を含んだ混合物を貼り付け、かつ土団子にマット給水している状態を示す概略図、図９は完成した苔玉の斜視図、図１０はこの実施例の苔玉の栽培工程を示すフローチャートである。
【００１４】
図６のフローチャートに基づいてこの発明の苔玉の栽培方法の第１実施例における苔玉の栽培工程を説明する。
（ａ）先ず、自生地に入って苔（日向ごけ）を採取する。図１にそのようにして採取した苔２１の１例を写真によって示す。
（ｂ）採取してきた苔を、育苗箱に充填した用土の上に植え付けて灌水し、日照が７０％程度になるように管理しながら育成する。
上記育成のための用土としては、ピート、パーライト、バーミキュライトを主体に肥料を配合した調整ピート、赤玉土、田土等を用いることが望ましい。
この例では、採取した野生の苔を育苗箱で育成し、所定量の苔を得た上で利用するようにした場合について説明したが、利用できる苔はそのような育成過程を経たものに限定されるものではない。
苔の育成が終わったら、苔を用土から剥がして、所定期間乾燥させることが望ましい。この乾燥期間は１日から３日程度でよい。
（ｃ）上記苔とは別に、苔の約２倍の用土を準備しておき、これもさらさらになるように乾燥しておけば、苔と混ぜ合わせる際の作業性が良い。この場合の用土としては粘着力等の面で泥状の田土が望ましく、必要に応じて粘土質の土を所定量配合すればよい。
（ｄ）その上で、苔を手ないし目の細かい網等の道具を使用して粉末状に破砕した上、該苔の約２倍の用土とともに手や攪拌機でよく揉み、均一に混ぜる。
もちろん、混合物における苔と用土とを配合する割合は上記約１：２に限られるものではなく、苔の生育力や用土の粘着力等を勘案して適宜決定することができる。
【００１５】
（ｅ）上記苔とは別に、植物の株の根鉢３１を育成しておく。上記根鉢３１のための用土としては、ピート、パーライト、バーミキュライトを主体に肥料を配合した調整ピート、赤玉土等を用いることが望ましい。
この根鉢３１をプラスチック製の鉢３２から取り出した状態を図２に示す。
（ｆ）上記苔と用土との混合物を植物の株の根鉢３１の表面にまぶすように貼り付ける。
その際、根鉢３１の表面にあらかじめ１ｃｍ程度の厚さに用土を貼り付け、その上で混合物を根鉢３１の表面に貼り付けても良い。
なお、この実施例では、上記根鉢３１として球状に成形したものが示されている。そうすることによってほぼ球形の苔玉を得ることが可能となるのである。
（ｇ）上記根鉢３１の下部には、給水用ひも３３を所定の長さ差し込む等の手段で取り付ける。このような給水用ひも３３としては市販の給水ひもや、その他の毛細管現象を利用して給水できるものであれば、適宜使用することができる。図３は完成した根鉢３１を示すものである。
（ｈ）給水用ひも３３を下部に取り付けた根鉢３１は、図４に示すように、通水枠３４上に搭載し、該根鉢３１に給水用ひも３３を利用した底面給水で管理する。この通水枠３４内を通水する養液３５としては、窒素要求量の増大に対応して、例えば窒素濃度４０〜５０ppmの常時給水が望ましい。もちろん、上記養液３５ではなく、単なる灌水のみでもよい。
該根鉢３１の底面給水による育成条件としては、施肥管理（液肥濃度、施用回数）や置き肥（施用量、施用回数）、光の管理（遮光状況、照度測定）、灌水条件（底面給水、手灌水）、温度管理（高温・低温下での苔育成）等を適宜調整しながら適用することができる。もちろん、上記肥料は施さなくても良い。
なお、上記においては底面給水による給水管理の例を示したが、給水用ひも３３を取り付けないで給水マット上で灌水するマット給水によって給水管理しても良いことはもちろんである。
（ｉ）以上の育成条件管理により、約１〜２ヶ月後に苔玉が形成される。得た苔玉４１を図５に示す。この苔玉４１はインテリアとして適する緑玉形状を有していた。
【００１６】
上記実施例に係る苔玉栽培方法としては、前記植物の株の根鉢３１としてガーデンシクラメン５１を植え付けた場合を例示したが、ナデシコ、花木、ハツユキカヅラでもその効果は確認されており、またその他の植物の栽培にも適用できることはもちろんである。
また、植物の苗の地上部分を切除した、苔玉（植物）として利用できることはいうまでもない。
【００１７】
次に、図１０のフローチャートに基づいてこの発明の苔玉の栽培方法の第２実施例における苔玉の栽培工程を説明する。
この実施例における（Ａ）苔（日向ごけ）１１の採取〜（Ｄ）苔と用土との混合物の作成までの工程は、第１実施例の（ａ）〜（ｄ）の工程と同じである。
【００１８】
（Ｅ）上記苔とは別に、土団子６１を作成しておく。上記土団子６１のための用土としては、ピート、パーライト、バーミキュライトを主体に肥料を配合した調整ピート、赤玉土等を用いることが望ましい。この場合の素材は型崩れしにくくするために、粒子が細かい方が望ましい。
この土団子６１を図７に示す。
（Ｆ）上記苔と用土との混合物を土団子６１の表面にまぶすように貼り付ける。
なお、この実施例では、上記土団子６１として球状に成形したものが示されている。そうすることによってほぼ球形の苔玉を得ることが可能となるのである。
（Ｇ）土団子６１は、図８に示すように、給水マット６２上に搭載し、マット給水で管理する。
該土団子６１のマット給水による育成条件としては、施肥管理（液肥濃度、施用回数）や置き肥（施用量、施用回数）、光の管理（遮光状況、照度測定）、灌水条件（底面給水、手灌水）、温度管理（高温・低温下での苔育成）等を適宜調整しながら適用することができる。もちろん、上記肥料は施さなくても良い。
（Ｈ）以上の育成条件管理により、約１〜２ヶ月後に苔玉が形成される。得た苔玉７１を図９に示す。この苔玉７１はインテリアとして適する緑玉形状を有していた。
【００１９】
上記実施例に係る苔玉栽培方法としては、前記植物の株の根鉢３１や土団子６１を球状に形成した場合を例示したが、球状以外の種々の形状や、自然物・キャラクタ等の一定のモチーフ等にも適用できることはもちろんである。
【産業上の利用可能性】
【００２０】
この発明に係る苔玉栽培方法は、ガーデンシクラメンのみならず、ナデシコ、花木、ハツユキカヅラ、あるいはその他の植物の栽培にも適用できることはもちろんである。
【図面の簡単な説明】
【００２１】
【図１】根鉢の表面に取り付けることができる山苔の写真である。
【図２】植物の株の根鉢をプラスチック製の鉢から取り出した状態を示す斜視図である。
【図３】完成した根鉢の斜視図である。
【図４】該根鉢を通水枠上に搭載して、該根鉢に底面給水している状態を示す概略図である。
【図５】完成した苔玉の斜視図である。
【図６】この発明の苔玉の栽培工程を示すフローチャートである。
【図７】土団子を示す斜視図である。
【図８】土団子の表面に苔を含んだ混合物を貼り付け、かつ土団子にマット給水している状態を示す概略図である。
【図９】完成した苔玉の斜視図である。
【図１０】この実施例の苔玉の栽培工程を示すフローチャートである。
【符号の説明】
【００２２】
２１  苔
３１  根鉢
３２  プラスチック製の鉢
３３  給水用ひも
３４  通水枠
３５  養液
４１  苔玉
５１  シクラメン
６１  土団子
６２  給水マット
７１  苔玉
【図１】
2008029310.tif 000003
【図２】
2008029310.tif 000004
【図３】
2008029310.tif 000005
【図４】
2008029310.tif 000006
【図５】
2008029310.tif 000007
【図６】
2008029310.tif 000008
【図７】
2008029310.tif 000009
【図８】
2008029310.tif 000010
【図９】
2008029310.tif 000011
【図１０】
2008029310.tif 000012